(57)【特許請求の範囲】
【請求項１】
被ロック部材を受け入れる略Ｕ字状の受け口を斜め上方に向けて開口する受け台と、受け台の受け口に入り込む被ロック部材を上湾部で押込み保持するラッチとを備え、そのラッチを受け台から立ち上げてラッチ基部寄りに挿通する枢支ピンで受け台に枢着すると共に、捩りコイルバネを枢支ピンの軸線上に嵌装させてラッチと受け台とに掛渡し装着し、ラッチを捩りコイルバネで受け台の受け口より後方の離反方向に偏倚支持するイナーシャロック装置において、
開放口を受け台の受け口と整合させて略Ω状のクリップを受け台に備え付け、ラッチ基部より張り出て受け口の底辺から口内の突出する顎部と、上腕部より湾内方に突き出るフック部とを有し、受け台の受け口に入り込む被ロック部材が顎部を蹴ってフック部を被ロック部材の受け溝に噛合し、且つ、被ロック部材を上湾部で押込み保持するラッチを備え付けてなることを特徴とするイナーシャロック装置。
【請求項２】
被ロック部材に埋込み装着した超鋼合金の受け溝に対し、フック部を噛合するラッチを備え付けてなることを特徴とする請求項１に記載のイナーシャロック装置。
【請求項３】
ラッチを立付け装備した金属製の設置プレートを基台とし、略Ｕ字状の凹部を被ロック部材の受け口として設け、開放口のカール部を凹部のスリットより内方に露出させてクリップを内側に固定し、ラッチをスリットから外方に突出すると共に、設置プレートを覆う樹脂製の外装カバーを備え付けてなることを特徴とする請求項１に記載のイナーシャロック装置。
【請求項４】
車体フロアーの下段部に立付け可能な上向き略コ字状のスタンド脚部を前寄り下部に有するシートクッションと、下部側を車体フロアーの上段部に枢着設置した前倒し可能なシートバックとを備え、シートクッションを後部側に伸びるブラケットアームでシートバックの側部下寄りに軸承連結し、スタンド脚部を含むシートクッションをブラケットアームで跳上げ可能に装備し、
スタンド脚部を受け入れる略Ｕ字状の受け口を斜め上方に向けて開口する受け台と、受け台の受け口に入り込むスタンド脚部を上湾部で押込み保持するラッチとを備え、そのラッチを受け台から立ち上げてラッチ基部寄りに挿通する枢支ピンで受け台に枢着すると共に、捩りコイルバネを枢支ピンの軸線上に嵌装させてラッチと受け台とに掛渡し装着し、ラッチを捩りコイルバネで受け台の受け口より後方の離反方向に偏倚支持するイナーシャロック装置を車体フロアーの下段部に装備する折畳み式シートにおいて、
開放口を受け台の受け口と整合させて略Ω状のクリップを受け台に備え付け、ラッチ基部より張り出て受け口の底辺から口内の突出する顎部と、上腕部より湾内方に突き出るフック部とを有し、受け台の受け口に入り込む被ロック部材が顎部を蹴ってフック部をスタンド脚部の受け溝に噛合し、且つ、スタンド脚部を上湾部で押込み保持するラッチを備え付けたイナーシャロック装置を装備してなることを特徴とする折畳み式シート。
【請求項５】
スタンド脚部の下辺部に埋込み装着した超鋼合金の受け溝に対し、フック部を噛合するラッチを備え付けたイナーシャロック装置を装備してなることを特徴とする請求項４に記載の折畳み式シート。
【請求項６】
ラッチを立付け装備した金属製の設置プレートを基台とし、略Ｕ字状の凹部をスタンド脚部の受け口として設け、開放口のカール部を凹部のスリットより内方に露出させてクリップを内側に固定した樹脂製の外装カバーを備え、ラッチを外装カバーのスリットから外方に突出すると共に、設置プレートを外装カバーで覆ったイナーシャロック装置を装備してなることを特徴とする請求項４に記載の折畳み式シート。
【発明の詳細な説明】
【０００１】
【発明の属する技術分野】
本発明は、シートクッションのスタンド脚部のような被ロック部材が当ると、ラッチが慣性力により捩りコイルバネで作動し、被ロック部材を押込み保持するイナーシャロック装置、並びに、同イナーシャロック装置を備える折畳み式シートの改良に関するものである。
【０００２】
【従来の技術】
ワゴン車等のシートとしては、図１０で示すように車体フロアーＦの下段部ｆ１に立付け可能な上向き略コ字状のスタンド脚部１を前寄り下部に有するシートクッション２と、下部側を立付けブラケット３で車体フロアーＦの上段部ｆ２に枢着設置した前倒し可能なシートバック４と備え、シートクッション１を後部側に伸びる湾曲アーム６でシートバック４の側部下寄りに軸承連結し、脚部１を含むシートクッション２を湾曲アーム６で跳上げ可能に構成するものがある。
【０００３】
その折畳み式シートにおいては、開錠操作可能なチャック８をシートバック４の片側寄り背部に備え、止め環９を車体のサイドパネルより突設し、この止め環９をチャック８で挟持することから、シートバック４が立付け設置可能に組み付けられている。
【０００４】
その折畳み式シートに対し、スタンド脚部１の下辺部を押込み保持するイナーシャロック装置７が車体フロアーＦの下段部ｆ１に取り付けることが図られている。
【０００５】
そのイナーシャロック装置７は、図１１で示すようにスタンド脚部１を略Ｕ字状の受け口で受け入れる受け台７０と、受け台７０の受け口に入り込むスタンド脚部の下辺部を上湾部で押込み保持する略逆さＪ字状のラッチ７１とを備え、このラッチ７１をラッチ基部寄りに挿通する枢支ピン７２で受け台７０に立付け枢着すると共に、捩りコイルバネ７３をラッチ７１と受け台７０とに掛け渡させて枢支ピン７２の軸線上に嵌装することから構成するようにできる。
【０００６】
そのイナーシャロック装置では、ロックを逐次解除する操作の煩わしさから、通常時はラッチ７１が捩りコイルバネ７３で受け台７０の受け口より後方の離反方向に偏倚支持されている。一方、衝突等による衝撃を受けると、図１２で示すように捩りコイルバネ７３のバネ端による重心位置を慣性力により前方に移動させるようラッチ７１を捩りコイルバネ７３で作動し、スタンド脚部１の下辺部をラッチ７１で押込み保持するよう作動する。
【０００７】
そのイナーシャロック装置では、衝突等の衝撃力による慣性力が働いてから、ラッチ７１が作動するため、ラッチ７１がスタンド脚部１の下辺部に噛み合うまで時間を要する。これに対し、上述した折畳み式シートでは、オフセットが湾曲アーム６の支軸による回転中心とシートクッション１の重心との間にあることから、着座者が不在の時に、シートクッション２が跳ね上がる回転力が発生し、ラッチ７１の作動が遅れてスタンド脚部１を押込み保持できない虞れがある。
【０００８】
それに加えて、通常時はラッチ７１が捩りコイルバネ７３で受け台７０の受け口７０より後方の離反方向に偏倚支持されたままであるため、永年の使用に伴って異物等が枢支ピン７２の軸回りに付着することから、ラッチ７１が回転できない状態になっていても判らないということが懸念される。
【０００９】
【発明が解決しようとする課題】
本発明は、シートクッションのスタンド脚部のような被ロック部材をラッチにより簡単な操作で確実にくわえ込み保持できるイナーシャロック装置を提供することを目的とする。
【００１０】
本発明は、衝突等に伴うシートクッションの跳上りをイナーシャロック装置で確実に防げる折畳み式シートを提供することを目的とする。
【００１１】
【課題を解決するための手段】
本発明の請求項１に係るイナーシャロック装置においては、被ロック部材を受け入れる略Ｕ字状の受け口を斜め上方に向けて開口する受け台と、受け台の受け口に入り込む被ロック部材を上湾部で押込み保持するラッチとを備え、そのラッチを受け台から立ち上げてラッチ基部寄りに挿通する枢支ピンで受け台に枢着すると共に、捩りコイルバネを枢支ピンの軸線上に嵌装させてラッチと受け台とに掛渡し装着し、ラッチを捩りコイルバネで受け台の受け口より後方の離反方向に偏倚支持するもので、
開放口を受け台の受け口と整合させて略Ω状のクリップを受け台に備え付け、ラッチ基部より張り出て受け口の底辺から口内の突出する顎部と、上腕部より湾内方に突き出るフック部とを有し、受け台の受け口に入り込む被ロック部材が顎部を蹴ってフック部を被ロック部材の受け溝に噛合し、且つ、被ロック部材を上湾部で押込み保持するラッチを備え付けることにより構成されている。
【００１２】
本発明の請求項２に係るイナーシャロック装置においては、被ロック部材に埋込み装着した超鋼合金の受け溝に対し、フック部を噛合するラッチを備え付けることにより構成されている。
【００１３】
本発明の請求項３に係るイナーシャロック装置においては、ラッチを立付け装備した金属製の設置プレートを基台とし、略Ｕ字状の凹部を被ロック部材の受け口として設け、開放口のカール部を凹部のスリットより内方に露出させてクリップを内側に固定し、ラッチをスリットから外方に突出すると共に、設置プレートを覆う樹脂製の外装カバーを備え付けることにより構成されている。
【００１４】
本発明の請求項４に係る折畳み式シートにおいては、車体フロアーの下段部に立付け可能な上向き略コ字状のスタンド脚部を前寄り下部に有するシートクッションと、下部側を車体フロアーの上段部に枢着設置した前倒し可能なシートバックとを備え、シートクッションを後部側に伸びるブラケットアームでシートバックの側部下寄りに軸承連結し、スタンド脚部を含むシートクッションをブラケットアームで跳上げ可能に装備し、
スタンド脚部を受け入れる略Ｕ字状の受け口を斜め上方に向けて開口する受け台と、受け台の受け口に入り込むスタンド脚部を上湾部で押込み保持するラッチとを備え、そのラッチを受け台から立ち上げてラッチ基部寄りに挿通する枢支ピンで受け台に枢着すると共に、捩りコイルバネを枢支ピンの軸線上に嵌装させてラッチと受け台とに掛渡し装着し、ラッチを捩りコイルバネで受け台の受け口より後方の離反方向に偏倚支持するイナーシャロック装置を車体フロアーの下段部に装備するもので、
開放口を受け台の受け口と整合させて略Ω状のクリップを受け台に備え付け、ラッチ基部より張り出て受け口の底辺から口内の突出する顎部と、上腕部より湾内方に突き出るフック部とを有し、受け台の受け口に入り込む被ロック部材が顎部を蹴ってフック部をスタンド脚部の受け溝に噛合し、且つ、スタンド脚部を上湾部で押込み保持するラッチを備え付けたイナーシャロック装置を装備することにより構成されている。
【００１５】
本発明の請求項５に係る折畳み式シートにおいては、スタンド脚部の下辺部に埋込み装着した超鋼合金の受け溝に対し、フック部を噛合するラッチを備え付けたイナーシャロック装置を装備することにより構成されている。
【００１６】
本発明の請求項６に係る折畳み式シートにおいては、ラッチを立付け装備した金属製の設置プレートを基台とし、略Ｕ字状の凹部をスタンド脚部の受け口として設け、開放口のカール部を凹部のスリットより内方に露出させてクリップを内側に固定した樹脂製の外装カバーを備え、ラッチを外装カバーのスリットから外方に突出すると共に、設置プレートを外装カバーで覆ったイナーシャロック装置を装備することにより構成されている。
【００１７】
【発明の実施の形態】
以下、図１〜図９を参照して説明すると、図示実施の形態は、跳上げ可能なシートクッションとシートバックからなる折畳み式シートを具体例とし、シートクッション１の跳ね上りを防ぐロック機構としてイナーシャロック装置を備え付けて構成されている。折畳み式シートとしては、図１０で示すものと同じ構成を有し、図１１で示すイナーシャロック装置と共に、共通の構成部分は同じ符号を付して説明する。
【００１８】
折畳み式シートの構成中、スタンド脚部１としては、図１で示すように金属パイプを上向き略コ字状に湾曲成形したものが備えられている。そのスタンド脚部１は、両縦辺部の軸端をシートクッション２の下両側寄りに支軸（図示せず）で軸承連結することにより折畳み自在に備え付けられている。湾曲アーム６としては、シートクッション２の側部に固定する側からシートバック４の側部に軸承連結する側をシートバック４の傾斜角に応じて斜めに湾曲した略逆さ向きのへの字状に形成したものが備えられている。
【００１９】
イナーシャロック装置７は、図２で示すようにスタンド脚部１の下辺部を受け口で受け入れる受け台７０と、受け台７０の受け口に入り込むスタンド脚部１の下辺部を上湾部で押込み保持するラッチ７１とを備え、そのラッチ７１を受け台７０から立ち上げてラッチ基部寄りに挿通する枢支ピン７２で受け台７０に枢着すると共に、捩りコイルバネ７３を支ピン７２の軸線上に嵌装させてラッチ７１と受け台７０とに掛渡し装着することにより組み立てられている。
【００２０】
そのイナーシャロック装置７の構成中、受け台７０はラッチ７１を立付け装備する金属製の設置プレート７００を基台とし、設置プレート７００を覆う樹脂製の外装カバー７０１とから組み立てられている。この受け台７０においては、図３で示すようにスタンド脚部１の下辺部を受け入れる受け口７０１ａが斜め上方に向けて開口すると共に、内底を湾曲形成した略Ｕ字状の凹部として外装カバー７０１に設けられている。
【００２１】
その外装カバー７０１には、開放口を受け口７０１ａと整合させ、また、カール部８１，８２を凹部７０１ａのスリット７０１ｂ，７０１ｃより内方に露出させることにより、略Ω状のクリップ８０が凹部７０１ａの背後側にあてがい固定されている。このクリップ８０は、スタンド脚部１の下辺部を凹部７０１ａの内底まで確実に受け入れるものとし、掛止め爪８３，８４（図２参照）を両側に設けて外装カバー７０１を設置プレート７００に固定することから備えられている。
【００２２】
ラッチ７１としては、図４で示すように枢支ピン７２で受け台７０に枢着するラッチ基部７１ａと、受け台７０の受け口７０１ａに入り込むスタンド脚部１の下辺部を押込み保持する上湾部７１ｂと、ラッチ基部７１ａより張り出て受け口７０１ａの底辺から口内の突出する顎部７１ｃと、上腕部７１ｂより湾内方に突き出るフック部７１ｄとから形成したものが備え付けられている。
【００２３】
そのラッチ７１は、ラッチ基部７１ａ寄りから設置プレート７００の立上りフランジ（図示せず）に挿通する枢支ピン７２で設置プレート７００に立付け装備されている。
【００２４】
捩りコイルバネ７３は、中央のコイル部７３ａを枢支ピン７２の軸線上に嵌め込み、片バネ端７３ｂをラッチ７１より張り出す突片７１ｅに掛け止め、他バネ端７３ｃを設置プレート７００より突出する突片７００ａに掛け止めることにより、ラッチ７１を受け台７０の受け口７００ａより後方の離反方向に偏倚支持するよう掛渡し装備されている。ラッチ７１には、設置プレート７００の突片７００ａと当接するストッパ片７１ｆが設けられている。
【００２５】
そのラッチ７１に対し、スタンド脚部１には、図５で示すように超鋼の焼結金属でなるブロック９０を下辺部の軸内に埋め込むことにより、ラッチ７１のフック部７１ｄを係合する受け溝９１が設けられている。
【００２６】
その金属ブロック９０は、図６で示すようにスタンド脚部１の下辺部に設ける開孔縁１０，１１を径内に向って狭くなる斜面で形成し、この開孔縁１０，１１の斜面と係合する張出し縁９２，９３を設けることにより開孔内に嵌め合わされている。また、図７で示すようにスタンド脚部１の下辺部に貫通する二つの止め穴１２，１３から支持ピン９４，９５を金属ブロック９０の体内に圧入することによりスタンド脚部１の下辺部に取付け固定されている。
【００２７】
このように構成するイナーシャロック装置を備える折畳み式シートでは、シートクッション２をスタンド脚部１で立付け設置するべく、スタンド脚部１の下辺部を受け口７０１ａの口内に移動すると、図４で示すように顎部７１ｃがラッチ基部７１ａより受け口７０１ａの底辺方向に張出し位置しているため、まず、スタンド脚部１の下辺部が顎部７１ｃに当接し、その慣性力により捩りコイルバネ７３のバネ端７３ｂの止着点に相当する重心位置を直ちに捩りコイルバネ７３で前方に移動するようラッチ７１を作動させる。
【００２８】
そのラッチ３２の作動により、図８で示すようスタンド脚部１の下辺部を受け口７０１ａの内部に受け入れると同時に、ラッチ７１が上湾部７１ｂでスタンド脚部１の上湾部を上側から押え込むと共に、ラッチ７１のフック部７１ｄが金属ブロック９０の受け溝９１に係合することにより、スタンド脚部１を受け口７０１ａの内部に確実にロックできる。
【００２９】
それに先立ち、スタンド脚部１の下辺部を受け口７０１ａの内部に受け入れる際は、クリップ８０のカール部８１，８２がガイドとなり、スタンド脚部１の下辺部を受け口７０１ａの奥間で速やかに誘導できる。これと共に、上述したように顎部７１ｃがラッチ基部７１ａより受け口７０１ａの底辺方向に張出し位置しているため、スタンド脚部１の下辺部が顎部７１ｃと速やかに当接する。
【００３０】
そのスタンド脚部１をイナーシャロック装置７から外す際は、シートクッション２を操作者が持ち上げると、スタンド脚部１がラッチ７１の上湾部７１ｂの曲面に沿って移動することにより、捩りコイルバネ７３のバネ端７３ｂの止着点に相当する重心位置を後方に移動するようラッチ７１が捩りコイルバネ７３で作動し、受け台７０の受け口７０１ａより後方の離反方向に捩りコイルバネ７１で偏倚支持される元の状態に自動的に復帰する。
【００３１】
このため、衝突時等にはシートクッション２が跳ね上らないようスタンド脚部１を直ちにロックできると共に、イナーシャロック装置７のロックを解除する使い勝手上の煩わしさもない。また、スタンド脚部１を脱着するに伴って、ラッチ７１が随時共に作動するから、異物等が枢支ピン７２の軸回りに付着することによるラッチ７１の回転できない事態の発生も防げる。
【００３２】
それに加えて、ラッチ７１が度々作動し、フック部７１ｄがスタンド脚部１の受け溝９１に係合しても、受け溝９１が超鋼合金の金属ブロック９０で形成されているため、受け溝９１が摩滅するような事態を生じない。また、イナーシャロック装置７としては全体が樹脂製の外装カバー７０１で覆われているから、体裁を良好に保てる。
【００３３】
上述した折畳み式シートは、図９で示すようにスタンド脚部１をシートクッション２の底部に重ねるよう折り畳んでシートクッション２を車体フロアーＦの下段部ｆ１に倒し、シートバック４をシートクッションの上に重ねることにより折畳み収納できる。この際に、スタンド脚部１の下辺部をイナーシャロック装置７でくわえ込むことから、シート全体を車体フロアーＦの下段部ｆ１に安定よく載置できる。
【００３４】
上述した実施の形態は、イナーシャロック装置を折畳み式シートに備える場合で説明したが、この折畳み式シートに限らず、各種の被ロック部材をくわえ込み保持する機構として広く適用できる。
【００３５】
【発明の効果】
以上の如く、本発明の請求項１に係るイナーシャロック装置に依れば、開放口を受け台の受け口と整合させて略Ω状のクリップを受け台に備え付け、ラッチ基部より張り出て受け口の底辺から口内の突出する顎部と、上腕部より湾内方に突き出るフック部とを有し、受け台の受け口に入り込む被ロック部材が顎部を蹴ってフック部を被ロック部材の受け溝に噛合し、且つ、被ロック部材を上湾部で押込み保持するラッチを備え付けることから、クリップがガイドとなり、被ロック部材を受け口の奥間で速やかに誘導できるため、被ロック部材を受け口の内部に確実且つ速やかにロックできる。
【００３６】
本発明の請求項２に係るイナーシャロック装置に依れば、被ロック部材に埋込み装着した超鋼合金の受け溝に対し、フック部を噛合するラッチを備えることにより、ラッチが度々作動することから、被ロック部材を受け口に頻繁に着脱しても、ラッチが係合する受け溝が超鋼合金で形成されているため、受け溝が摩滅するような事態を生じない。
【００３７】
本発明の請求項３に係るイナーシャロック装置に依れば、ラッチを立付け装備した金属製の設置プレートを基台とし、略Ｕ字状の凹部を被ロック部材の受け口として設け、開放口のカール部を凹部のスリットより内方に露出させてクリップを内側に固定し、ラッチをスリットから外方に突出すると共に、設置プレートを覆う樹脂製の外装カバーを備えることから、装置自体を安定よく設置できると共に、全体の体裁を良好なものに保てる。
【００３８】
本発明の請求項４に係る折畳み式シートに依れば、開放口を受け台の受け口と整合させて略Ω状のクリップを受け台に備え付け、ラッチ基部より張り出て受け口の底辺から口内の突出する顎部と、上腕部より湾内方に突き出るフック部とを有し、受け台の受け口に入り込む被ロック部材が顎部を蹴ってフック部をスタンド脚部の受け溝に噛合し、且つ、スタンド脚部を上湾部で押込み保持するラッチを備え付けたイナーシャロック装置を装備することから、クリップがガイドとなり、スタンド脚部を受け口の奥間で速やかに誘導できるため、スタンド脚部を受け口の内部に確実且つ速やかにロックできてシート全体の跳上りを防止できる。
【００３９】
本発明の請求項５に係る折畳み式シートに依れば、スタンド脚部の下辺部に埋込み装着した超鋼合金の受け溝に対し、フック部を噛合するラッチを備え付けたイナーシャロック装置を装備することから、スタンド脚部を受け口に頻繁に着脱しても、ラッチが係合する受け溝が超鋼合金で形成されているため、受け溝が摩滅するような事態を生じない。
【００４０】
本発明の請求項６に係る折畳み式シートに依れば、ラッチを立付け装備した金属製の設置プレートを基台とし、略Ｕ字状の凹部をスタンド脚部の受け口として設け、開放口のカール部を凹部のスリットより内方に露出させてクリップを内側に固定した樹脂製の外装カバーを備え、ラッチを外装カバーのスリットから外方に突出すると共に、設置プレートを外装カバーで覆ったイナーシャロック装置を装備することにより、装置自体を安定よく設置できると共に、シート全体の体裁を良好なものに保てる。
【図面の簡単な説明】
【図１】  本発明に係るイナーシャロック装置を備える具体例として折畳み式シートを示す説明図である。
【図２】  同折畳み式シートに備えられるイナーシャロック装置の構成を示す説明図である。
【図３】  同イナーシャロック装置の受け台を構成する外装カバーを示す側断面図である。
【図４】  同イナーシャロック装置の構成を示す側面図である。
【図５】  同イナーシャロック装置並びにスタンド脚部の構成を示す正面図である。
【図６】  本発明に係るイナーシャロック装置のラッチを掛け止めるスタンド脚部の側断面図である。
【図７】  同スタンド脚部の軸線方向断面図である。
【図８】  本発明に係るイナーシャロック装置のロック動作を示す説明図である。
【図９】  本発明に係るイナーシャロック装置を備える折畳み式シートを折畳み状態で示す説明図である。
【図１０】  一般例に係る折畳み式シートを示す説明図である。
【図１１】  同イナーシャロック装置の構成を示す説明図である。
【図１２】  同イナーシャロック装置のロック動作を示す説明図である。
【符号の説明】
１                スタンド脚部（被ロック部材）
７                イナーシャロック装置
７０（７００，７０１）        受け台
７１              ラッチ
７１ａ            ラッチの基部
７１ｂ            ラッチの上湾部
７１ｃ            ラッチの顎部
７１ｄ            ラッチのフック部
７２              枢支ピン
７３              捩りコイルバネ
８０              クリップ
８１，８２        クリップのカール部
９０              超鋼合金
９１              受け溝
【図１】
0003663509.tif 000002
【図２】
0003663509.tif 000003
【図３】
0003663509.tif 000004
【図４】
0003663509.tif 000005
【図５】
0003663509.tif 000006
【図６】
0003663509.tif 000007
【図７】
0003663509.tif 000008
【図８】
0003663509.tif 000009
【図９】
0003663509.tif 000010
【図１０】
0003663509.tif 000011
【図１１】
0003663509.tif 000012
【図１２】
0003663509.tif 000013